(57)【要約】  組立玩具用チューブ連結体を提供する。本発明は、チューブ連結体の本体は円筒状に形成され、その上下面に水平面が形成され、本体の中央には前記水平面に対して垂直にチューブが挿入される円状の通孔が形成され、前記本体の外部には円状の水平面中心に対して一つ以上の結合リブが本体と一体型で形成され、前記結合リブがチューブに内挿されて多様な立体模型を提供する組立玩具用チューブ連結体を構成する。
2010540001.tif 000002
【特許請求の範囲】
【請求項１】
半球状又は円筒状本体の両端面に水平面が形成され、前記本体の中央には前記水平面に対して垂直に通孔が形成され、前記各水平面のうちいずれか一つの水平面の本体外周に少なくとも一つの結合リブが一体型で構成されたチューブ連結体において、
前記結合リブの厚さの半分に該当する部分は、前記結合リブが形成された水平面の外部に突出形成され、
前記結合リブは、バー形態に形成されてチューブに内挿され、
前記二つのチューブ連結体を前記結合リブが形成された水平面が互いに当接するように交差して結合するとき、各連結体に形成された前記少なくとも一つの結合リブは、交差した二つのチューブ連結体の水平面中心軸上に位置し、前記互いに当接した水平面を基準にして前記チューブ連結体が左右に回転することを特徴とする組立玩具用チューブ連結体。
【請求項２】
前記結合リブは、結合されるチューブに内挿された後、弾性力によって固定されるように、前記結合リブの端部が二つの部分に分けられて離隔形成されたことを特徴とする、請求項１に記載の組立玩具用チューブ連結体。
【請求項３】
前記結合リブが前記水平面と同一に水平方向に形成されたことを特徴とする、請求項１又は２に記載の組立玩具用チューブ連結体。
【請求項４】
半球状の本体と、前記本体の挿設溝及び結合孔に挿入される結合リブとを含んで構成された組立玩具用チューブ連結体において、
前記本体の底面は水平面であり、前記底面から上部に前記底面に対して垂直に平面部が形成され、前記平面部から上部に曲面部が形成され、
前記本体の中央には底面に対して垂直に通孔が形成され、
前記底面上には前記挿設溝が形成され、
前記結合孔は前記本体の曲面部に形成され、
前記結合リブの一側端部が前記挿設溝又は結合孔に挿入されることを特徴とする組立玩具用チューブ連結体。
【請求項５】
前記二つの本体の底面が互いに当接し、所定の間隔を有して一対の係止突起が形成されたチューブ連結体結合部が前記通孔に挿入されて結合され、前記一対の係止突起内で前記本体が固定されるように形成されたことを特徴とする、請求項4に記載の組立玩具用チューブ連結体。
【請求項６】
前記結合リブの他側端部が二つの部分に分けられて離隔形成されることによって、チューブに結合されるチューブ挿入部が形成されたことを特徴とする、請求項4に記載の組立玩具用チューブ連結体。
【発明の詳細な説明】
【技術分野】
【０００１】
本発明は、組立玩具用チューブ連結体に関するもので、より詳細には、前記チューブ連結体の半球状又は円筒状本体の両端面に水平面が形成され、前記本体の中央には前記水平面に対して垂直にチューブが挿入される円状の通孔が形成され、前記各水平面のうちいずれか一つの水平面の本体外周には結合リブが一体型で構成され、前記結合リブの厚さの半分に該当する部分は、前記結合リブが形成された水平面の外部に突出形成され、前記結合リブは、バー形態に形成されてチューブに内挿されるチューブ連結体に関するものである。
【０００２】
また、本発明は、チューブ連結体の半球状本体の底面に水平面が形成され、前記半球状本体の中央に前記底面に対して垂直に通孔が形成され、前記半球状本体に一つ以上の挿設溝及び一つ以上の結合孔が形成され、前記挿設溝及び結合孔に結合リブの挿入部が挿入されて固定されることを特徴とする組立玩具用チューブ連結体に関するものである。
【背景技術】
【０００３】
一般的に、組立玩具は、レゴ、チューブ、磁石などのような多様な形態で提供されており、レゴの場合は、それ自体に結合突起及び結合溝が備わり、別途の連結手段なしに組み立てが可能であるが、チューブを用いて模型を製造するときは、各チューブ間を連結して固定する連結手段が必要である。
【０００４】
前記のようなチューブ組み立てに使用される連結手段として多数の結合リブが形成され、前記結合リブにチューブが結合される。前記結合リブは、多数のチューブとの結合を容易にするために、略１字状や十字状などに定められた均等な角度のみを提供している。ところが、前記結合リブは、その形態が固定されているので、各形態に合う部分のみに使用可能であり、結合角度が異なる場合、別途の角度を有する連結手段が必要である。また、１字状や十字状の連結手段を複数重ねて、結合リブが形成する角度を多様にすることによって、各チューブ間の結合角度を調節する方法が使用されている。しかしながら、この場合、前記連結手段の本体の厚さが厚くなるだけでなく、前記結合された連結手段の各結合リブの高さが同一平面上に位置しないので、ユーザの望む立体模型を提供することが難しいという問題がある。
【発明の概要】
【発明が解決しようとする課題】
【０００５】
前記のような目的を達成するために、本発明は、チューブ連結体の半球状又は円筒状本体の両端面に水平面がそれぞれ形成され、前記本体の中央に前記水平面に対して垂直に円状の通孔が形成され、前記各水平面のうちいずれか一つの水平面の本体外周に結合リブが一体型で形成され、前記結合リブの厚さの半分に該当する部分は、前記結合リブが形成された水平面の外部に突出形成され、前記結合リブはバーの形態に形成されてチューブに内挿され、前記二つのチューブ連結体を前記結合リブが形成された水平面が互いに当接するように交差して結合するとき、各本体の外周に形成された結合リブは、交差した前記二つのチューブ連結体の水平面中心軸上に位置するように同一平面上に位置することを特徴とし、前記結合リブは、結合されるチューブに内挿された後、復元力で堅固に固定されるように、その端部が二つの部分に分けられて離隔形成され、前記結合リブは、前記水平面と同一に水平方向に形成されたり、前記水平面に対して一定の角度だけ傾斜した方向に形成されたことを特徴とする組立玩具用チューブ連結体を提供することを目的とする。
【０００６】
また、本発明は、チューブ連結体の本体が半球状に形成され、前記本体の底面は水平面であり、前記底面から上部方向に前記本体の円周方向に一定の高さまで平面部が形成され、前記平面部から上部に曲面部が形成され、前記本体の中央には前記底面に対して垂直にチューブ連結体結合部が挿入される通孔が形成され、前記本体の平面部及び曲面部にそれぞれ一つ以上の挿設溝及び一つ以上の結合孔が形成され、前記チューブ連結体を他のチューブ連結体と前記底面が互いに当接するように交差して結合するとき、前記各チューブ連結体は、当接した底面を基準にして左右に回転可能であり、前記結合リブの位置を多様に変化できるようにしたチューブ連結体を提供することを目的とする。
【課題を解決するための手段】
【０００７】
前記のような目的を達成するための本発明に係る組立玩具用チューブ連結体は、チューブ連結体の円筒状又は半球状本体の両端にそれぞれ水平面が形成され、前記本体の中央には前記水平面に対して垂直に円状の通孔が形成され、前記各水平面のうちいずれか一つの水平面の本体外周に結合リブが一体型で構成され、前記結合リブの厚さの半分に該当する部分は、前記結合リブが形成された水平面の外部に突出形成され、前記結合リブはバー形態に形成されてチューブに挿入され、前記二つのチューブ連結体を前記結合リブが形成された水平面が当接するように交差して結合するとき、各チューブ連結体に形成された結合リブは、交差した二つのチューブ連結体の水平面中心軸上に位置するように同一平面上に位置することを特徴とする。前記結合リブは、結合されるチューブが内挿された後、復元力で堅固に固定されるように、その端部が二つの部分に分けられて離隔形成されたり、前記結合リブのバーの外周に突起が形成されることによって、前記バーに内挿されたチューブが固定される。前記結合リブは、前記水平面と同一に水平方向に形成されたり、前記水平面に対して一定の角度だけ傾斜した方向に形成される。
【０００８】
また、組立玩具用チューブ連結体は、半球状本体の底面には平面部が形成され、前記底面から上部には前記底面に対して垂直な平面部が形成され、前記平面部から上部には曲面部が形成される。前記本体の中央には平面部に対して垂直に円状又は多角形状の通孔が形成され、前記本体の底面上には挿設溝が前記底面の中心を通過するように一つ以上形成され、前記本体の曲面部には多数の結合孔が形成される。前記挿設溝及び結合孔にはチューブ連結体結合リブのチューブ連結体挿入部がそれぞれ挿入される。前記結合リブの一側端部には前記チューブ連結体挿入部が形成され、前記結合リブの他側端部にはチューブ挿入部が形成される。前記チューブ連結体挿入部及びチューブ挿入部は、各端が二つの部分に分けられて離隔形成され、前記挿設溝、結合溝又はチューブに挿入される。
【０００９】
前記チューブ連結体の各本体の底面を互いに当接させた後、前記本体に形成された通孔にチューブ連結体結合部を挿入して結合するが、前記チューブ連結体結合部には所定の間隔を有して一対の係止突起がそれぞれ形成され、前記係止突起内で前記各本体が固定される。前記チューブ連結体結合部の両端が二つの部分に分けられて離隔形成され、前記両端にチューブが結合される。
【発明の効果】
【００１０】
本発明に係る組立玩具用チューブ連結体は、連結手段であるチューブ連結体に溝部を形成し、他のチューブ連結体と交差するとき、溝部によって一部が重なり、両端部にそれぞれ形成された結合リブが同一の面に形成されるチューブ連結体を提供することができる。
【００１１】
また、チューブ連結体を中央の本体と結合リブとに分離して構成し、前記本体には多数の挿設溝を水平底面に沿って形成し、本体に挿設される結合リブのチューブ連結体挿入部を半円の断面を有するように形成することによって、挿設溝の大きさを減少させることができ、その結果、本体にはより多くの挿設溝を提供し、多様な角度で連結可能な機構を提供することができる。
【図面の簡単な説明】
【００１２】
【図１】本発明の第１の実施例に係る組立玩具用チューブ連結体の斜視図である。
【図２】図１の正面図である。
【図３】図１における二つのチューブ連結体の結合斜視図である。
【図４】図３のＡ―Ａ線断面図である。
【図５】本発明の第１の実施例に係る組立玩具用チューブ連結体の変形例を示した斜視図である。
【図６】図５の正面図である。
【図７】図５における二つのチューブ連結体の結合斜視図である。
【図８】図７のＢ―Ｂ線断面図である。
【図９】本発明の第２の実施例に係る組立玩具用チューブ連結体の斜視図である。
【図１０】図９の平面図である。
【図１１】図９の正面図である。
【図１２】図９における二つのチューブ連結体の結合斜視図である。
【図１３】図３ｄのＣ―Ｃ線断面図である。
【図１４】本発明の第３の実施例に係る組立玩具用チューブ連結体の斜視図である。
【発明を実施するための形態】
【００１３】
以下、前記のような本発明に係る組立玩具用チューブ連結体を図面を参照して詳細に説明する。
【００１４】
図１ａは、本発明の第１の実施例に係る組立玩具用チューブ連結体の斜視図で、図１ｂは、図１ａの正面図で、図１ｃは、図１ａにおける二つのチューブ連結体の結合斜視図で、図１ｄは、図１ｃのＡ―Ａ線断面図で、図２ａは、本発明の第１の実施例に係る組立玩具用チューブ連結体の変形例を示した斜視図で、図２ｂは、図２ａの正面図で、図２ｃは、図２ａにおける二つのチューブ連結体の結合斜視図で、図２ｄは、図２ｃのＢ―Ｂ線断面図で、図３ａは、本発明の第２の実施例に係る組立玩具用チューブ連結体の斜視図で、図３ｂは、図３ａの平面図で、図３ｃは、図３ａの正面図で、図３ｄは、図３ａにおける二つのチューブ連結体の結合斜視図で、図３ｅは、図３ｄのＣ―Ｃ線断面図で、図４ａは、本発明の第３の実施例に係る組立玩具用チューブ連結体の斜視図で、図４ｂは、図４ａの側断面図で、図４ｃは、本発明の第３の実施例に係るチューブ連結体の交差結合状態を示した側面図で、図５ａは、本発明に係る結合リブを示した平面図で、図５ｂは、本発明に係る結合リブを示した斜視図で、図６は、図４ａ〜図４ｃのチューブ連結体と図５ａ〜図５ｂのチューブ連結体結合リブとの結合状態を示した図で、図７は、本発明に係るチューブ連結体結合部を示した平面図で、図８は、図４ａ〜図４ｃのチューブ連結体と図７のチューブ連結体結合部との結合状態を示した図である。
【００１５】
図１ａ〜図３ｅにおいて、本発明に係るチューブ連結体１０は、図１ａ及び図１ｂ、図２ａ及び図２ｂに示すように、円筒状又は半球状の本体２０と、少なくとも一つ以上の結合リブ３０とが一体型で構成される。前記本体２０の両端面には水平面２２がそれぞれ形成されており、前記本体２０の中央には、前記水平面に対して垂直にチューブ４０’が挿設される円状の通孔２１が形成され、前記各水平面のうちいずれか一つの水平面の本体外周には結合リブ３０が突出形成され、前記結合リブ３０は、バー形態に構成される。前記バーの外周に突起部が形成されることによって、前記結合リブ３０は、チューブ４０に内挿されるとき、前記突起部によってチューブ４０内に堅固に固定される。前記結合リブ３０の厚さの半分に該当する部分は、前記結合リブ３０が形成された水平面２２の外部に突出形成される。また、図１ａ〜図２ｄには示していないが、前記結合リブ３０の端部を二つの部分に分けて離隔させることができ、離隔した部分が復元力によってチューブの内壁を加圧することによって連結体チューブを堅固に固定し、前記結合リブ３０末端のＶ字状部分の離隔間隔に基づいて異なる内径を有するチューブも使用可能である。また、前記結合リブ３０は、前記本体２０の水平面２２と同一の水平方向に形成されたり、前記水平面２２に対して一定の角度だけ傾斜した方向に形成される。
【００１６】
一方、図１ｃ及び図１ｄ、図２ｃ及び図２ｄに示すように、前記二つのチューブ連結体１０、１０’は、前記結合リブ３０、３０’が形成された水平面２２、２２’がそれぞれ当接するように交差して結合し、各チューブ連結体１０、１０’に形成された各結合リブ３０、３０’の厚さの半分に該当する部分は、前記結合リブ３０、３０’が形成された水平面２２、２２’の外部に突出形成される。二つのチューブ連結体１０、１０’を交差して結合するとき、前記各結合リブ３０、３０’は、互いに交差した前記二つのチューブ連結体１０、１０’が互いに当接した水平面２２、２２’の中心軸上に位置させる。また、二つのチューブ連結体１０、１０’は、各本体２０、２０’の中央に形成された円状の通孔にチューブ４０が挿入されて結合される。前記二つのチューブ連結体１０、１０’は、互いに当接した水平面２２、２２’を基準にしてそれぞれ左右に回転し、多様な角度で前記各結合リブ３０、３０’にチューブが内挿される。
【００１７】
前記チューブ連結体１０は、本体２０と結合リブ３０とが一体型で射出成形され、材質としてプラスチックのような合成樹脂などが使用される。また、前記結合リブ３０の端部は、Ｖ字状のように二つの部分に分けられて離隔形成され、前記端部にチューブが挿入される。前記二つ部分の離隔間隔によって、前記結合リブに内挿されるチューブの直径も多様化することができる。
【００１８】
図３ａ〜図３ｃのチューブ連結体１０は、円筒状本体２０と、少なくとも一つの結合リブ３０とが一体型で構成される。前記本体２０の両端面には水平面２２がそれぞれ形成されており、前記本体２０の中央には前記水平面に対して垂直にチューブ４０’が挿通される円状の通孔２１が形成され、前記各水平面２２のうちいずれか一つの水平面の本体外周には結合リブ３０が前記水平面２２に対して傾斜するように突出形成され、前記結合リブ３０の端部が二つの部分に分けられて離隔形成されることによって、離隔した部分が復元力によってチューブの内壁を加圧することによって連結体チューブを堅固に固定する。また、結合リブ３０末端のＶ字状部分の離隔間隔に基づいて異なる内径を有するチューブが内挿される。図３ｄ及び図３ｅで、前記二つのチューブ連結体１０、１０’は、前記結合リブ２０が形成された水平面と反対側水平面とがそれぞれ当接するように交差して結合し、前記二つのチューブ連結体１０、１０’は、各本体２０の中央に形成された円状の通孔２１にチューブ４０’が挿入されて結合される。前記二つのチューブ連結体１０、１０’は、互いに当接した水平面を基準にしてそれぞれ左右に回転し、多様な角度で前記各結合リブ３０にチューブ４０’が内挿される。前記チューブ連結体１０は、本体２０と結合リブ３０とが一体型で射出成形され、材質としてプラスチックのような合成樹脂などが使用される。
【００１９】
図４ａ〜図４ｃは、本発明の更に他の例に係る組立玩具用チューブ連結体であって、図４ａ及び図４ｂに示すように、前記半球状の本体２０は、その底面２３が水平面であり、前記底面２３から前記半球面に沿って一定の高さまでは前記底面２３に対して垂直に平面部が形成され、前記平面部から上部に曲面部が形成される。
【００２０】
前記本体２０の中央には前記底面２３に対して垂直に円状又は多角形状の通孔２１が形成され、前記本体２０の底面２３上には挿設溝２３１が前記底面の中心を通過するように一つ以上形成され、前記本体２０の曲面部２２には多数の結合孔２２１が形成される。前記挿設溝２３１及び結合孔２２１には、チューブ連結体結合リブ４０の挿入部４１がそれぞれ挿入される。
【００２１】
図４ｃは、二つのチューブ連結体１０、１０’の本体２０、２０'を結合した例であって、前記各チューブ連結体１０、１０’の本体２０、２０'を互いに当接させ、前記二つのチューブ連結体１０、１０’の本体２０、２０’の底面２３に形成された各挿設溝２３１を一定角度だけずれさせる場合、上部と下部本体の各挿設溝２３１に前記チューブ連結体挿入部４１が互いに異なる角度で挿入されることによって、結合リブ４０の結合角度を多様に提供することができる。
【００２２】
図５ａ及び図５ｂに示すように、前記結合リブ４０は、一側端部に前記挿設溝２３１及び結合孔２２１に挿入される前記挿入部４１が形成され、他側端部にはチューブに内挿されるチューブ挿入部４２が形成される。前記挿入部４１及びチューブ挿入部４２は、各端が二つの部分に分けられて離隔形成され、前記挿設溝２３１、結合溝２２１又はチューブに挿入される。前記挿設溝２３１又は結合孔２２１の断面は、前記結合リブ４０の挿入部４１の断面と同一に形成することが望ましく、前記結合リブ４０の挿入部４１は、前記挿設溝２３１又は結合孔２２１に内挿された後、弾性力で固定されるように、前記結合リブ４０の端部が二つの部分に分けられて離隔形成される。これと同様に、前記結合リブ４０の反対側端部が二つの部分に分けられて離隔されることによって、チューブに結合されるチューブ挿入部４２が形成される。
【００２３】
また、前記本体２０の曲面部２２には多数の結合孔２２１が形成され、この結合孔２２１にはチューブ連結体結合リブ４０の挿入部４１が挿入される。前記結合孔２２１は、隣接した結合孔との干渉を避けられる範囲内で多数形成される。前記結合孔２２１の断面は、前記挿入部４１の断面と同一である。
【００２４】
図７は、本発明に係るチューブ連結体結合部を示した平面図で、図８は、図４ａ〜図４ｃのチューブ連結体と図７のチューブ連結体結合部との結合状態を示した図である。本発明のチューブ連結体結合部５０は、その両端部に結合リブ５１をそれぞれ形成し、前記二つのチューブ連結体５０の底面を互いに対向するように接触させた後、前記各本体２０、２０'の底面に対して垂直に形成された各通孔２１を貫通して前記チューブ連結体結合部５０が内挿され、結合された本体２０、２０'が分離されないように固定することができる。
【００２５】
前記チューブ連結体結合部５０には所定の間隔を有して一対の係止突起５２が形成され、一対の係止突起５２間には結合された二つの本体２０、２０'が置かれるので、前記本体２０、２０'がチューブ連結体結合部５０の一側に押されることを防止することができる。前記一対の係止突起５２が形成されたチューブ連結体結合部５０は、前記各本体２０、２０'の通孔２１に圧入方式で挿設し、二つの係止突起５２間に一対の本体２０、２０'が固定される。前記一体型のチューブ連結体結合部５０が装着された本体２０、２０'の両端部にはチューブをそれぞれ結合することができ、前記水平面の接合面に形成された挿設溝２３１を通して単一の結合リブ４０を装着してチューブを結合することができる。
【００２６】
また、前記挿設溝２３１に挿入される結合リブ４０が、隣接した半球面に沿って下側又は上側に位置を異にして結合されることによって、前記結合リブ４０は、各結合リブ間の干渉なしに多様な角度で本体に固定される。
【００２７】
一方、前記結合リブ４０は、図５ａ及び図５ｂを参照して説明したように、上述したチューブ連結体に挿設されるチューブ連結体挿入部４１と、チューブが結合されるチューブ挿入部４２とを含んで構成され、円状のチューブと結合されることによって円状断面に形成される。
【００２８】
このような結合リブ４０のうちチューブ連結体の挿設溝２３１や結合孔２２１に挿設される結合リブ４０のチューブ連結体挿入部４１は、半円の断面を有するように形成し、前記挿設溝２３１及び結合孔２２１も半円状に形成し、前記結合孔２２１を本体２０に多数形成して多数の結合リブ４０を結合することができる。また、前記結合リブ４０のチューブ連結体挿入部４１も、チューブ挿入部４２と同様に、端部から二つの部分に分けられて両側に離隔形成されることによってチューブ連結体と堅固に結合される。
【００２９】
このような構造を有する本発明のチューブ連結体は、チューブを結合して固定する結合リブを多様な角度で提供することができ、前記二つのチューブ連結体を交差するように形成し、前記各結合リブは同一平面上で回転可能に提供することができる。
【００３０】
一方、上述した例は、本発明を説明するための例に過ぎないものである。したがって、本発明の属する技術分野の通常の知識を有する者が、本発明の詳細な説明を参照して部分的に変更して使用したものも本発明の範囲に属することは当然である。
【符号の説明】
【００３１】
１０、１０’、１０ａ、１０ａ’  チューブ連結体
２０    本体
２１    通孔
２２    曲面部
２３    平面部
３０、４０    結合リブ
４１    チューブ連結体挿入部
４２、５１    チューブ挿入部
５０    チューブ連結体結合部
５２    係止突起
６０    チューブ
２２１    結合孔
３１    挿設溝
【図１】
2010540001.tif 000003
【図２】
2010540001.tif 000004
【図３】
2010540001.tif 000005
【図４】
2010540001.tif 000006
【図５】
2010540001.tif 000007
【図６】
2010540001.tif 000008
【図７】
2010540001.tif 000009
【図８】
2010540001.tif 000010
【図９】
2010540001.tif 000011
【図１０】
2010540001.tif 000012
【図１１】
2010540001.tif 000013
【図１２】
2010540001.tif 000014
【図１３】
2010540001.tif 000015
【図１４】
2010540001.tif 000016
【手続補正書】
【提出日】平成21年6月8日(2009.6.8)
【手続補正１】
【補正対象書類名】明細書
【補正対象項目名】００１２
【補正方法】変更
【補正の内容】
【００１２】
【図１ａ】本発明の第１の実施例に係る組立玩具用チューブ連結体の斜視図である。
【図１ｂ】図１ａの正面図である。
【図１ｃ】図１ａにおける二つのチューブ連結体の結合斜視図である。
【図１ｄ】図１ｃのＡ―Ａ線断面図である。
【図２ａ】本発明の第１の実施例に係る組立玩具用チューブ連結体の変形例を示した斜視図である。
【図２ｂ】図２ａの正面図である。
【図２ｃ】図２ａにおける二つのチューブ連結体の結合斜視図である。
【図２ｄ】図２ｃのＢ―Ｂ線断面図である。
【図３ａ】本発明の第２の実施例に係る組立玩具用チューブ連結体の斜視図である。
【図３ｂ】図３ａの平面図である。
【図３ｃ】図３ａの正面図である。
【図３ｄ】図３ａにおける二つのチューブ連結体の結合斜視図である。
【図３ｅ】図３ｄのＣ―Ｃ線断面図である。
【図４ａ】本発明の第３の実施例に係る組立玩具用チューブ連結体の斜視図である。
【図４ｂ】図４ａの側断面図である。
【図４ｃ】本発明の第３の実施例に係るチューブ連結体の交差結合状態を示した側面図である。
【図５ａ】本発明に係る結合リブを示した平面図である。
【図５ｂ】本発明に係る結合リブを示した斜視図である。
【図６】図４ａ〜図４ｃのチューブ連結体と図５ａ〜図５ｂのチューブ連結体結合リブとの結合状態を示した図である。
【図７】本発明に係るチューブ連結体結合部を示した平面図である。
【図８】図４ａ〜図４ｃのチューブ連結体と図７のチューブ連結体結合部との結合状態を示した図である。
【手続補正２】
【補正対象書類名】特許請求の範囲
【補正対象項目名】全文
【補正方法】変更
【補正の内容】
【特許請求の範囲】
【請求項１】
半球状又は円筒状本体の両端面に水平面が形成され、前記本体の中央には前記水平面に対して垂直に通孔が形成され、前記各水平面のうちいずれか一つの水平面の本体外周に少なくとも一つの結合リブが一体型で構成されたチューブ連結体において、
前記結合リブの厚さの半分に該当する部分は、前記結合リブが形成された水平面の外部に突出形成され、
前記結合リブは、バー形態に形成されてチューブに内挿され、
前記二つのチューブ連結体を前記結合リブが形成された水平面が互いに当接するように交差して結合するとき、各連結体に形成された前記少なくとも一つの結合リブは、交差した二つのチューブ連結体の水平面中心軸上に位置し、前記互いに当接した水平面を基準にして前記チューブ連結体が左右に回転することを特徴とする組立玩具用チューブ連結体。
【請求項２】
前記結合リブは、結合されるチューブに内挿された後、弾性力によって固定されるように、前記結合リブの端部が二つの部分に分けられて離隔形成されたことを特徴とする、請求項１に記載の組立玩具用チューブ連結体。
【請求項３】
前記結合リブが前記水平面と同一に水平方向に形成されたことを特徴とする、請求項１又は２に記載の組立玩具用チューブ連結体。
【請求項４】
前記結合リブが前記水平面に対して一定の角度だけ傾斜した方向に形成されたことを特徴とする、請求項１又は２に記載の組立玩具用チューブ連結体。
【請求項５】
前記通孔は、円状に形成され、前記通孔にチューブが挿入されることによって前記各チューブ連結体が互いに結合されることを特徴とする、請求項１に記載の組立玩具用チューブ連結体。
【請求項６】
半球状の本体と、前記本体の挿設溝及び結合孔に挿入される結合リブとを含んで構成された組立玩具用チューブ連結体において、
前記本体の底面は水平面であり、前記底面から上部に前記底面に対して垂直に平面部が形成され、前記平面部から上部に曲面部が形成され、
前記本体の中央には底面に対して垂直に通孔が形成され、
前記底面上には前記挿設溝が形成され、
前記結合孔は前記本体の曲面部に形成され、
前記結合リブの一側端部が前記挿設溝又は結合孔に挿入されることを特徴とする組立玩具用チューブ連結体。
【請求項７】
前記二つの本体の底面が互いに当接し、所定の間隔を有して一対の係止突起が形成されたチューブ連結体結合部が前記通孔に挿入されて結合され、前記一対の係止突起内で前記本体が固定されるように形成されたことを特徴とする、請求項６に記載の組立玩具用チューブ連結体。
【請求項８】
前記チューブ連結体結合部の両端部は、二つの部分に分けられて離隔形成され、チューブに結合されることを特徴とする、請求項７に記載の組立玩具用チューブ連結体。
【請求項９】
前記結合リブの他側端部が二つの部分に分けられて離隔形成されることによって、チューブに結合されるチューブ挿入部が形成されたことを特徴とする、請求項６に記載の組立玩具用チューブ連結体。
【請求項１０】
前記底面に形成された挿設溝は前記底面の中心に向けて形成され、前記挿設溝は底面上に形成されたことを特徴とする、請求項６に記載の組立玩具用チューブ連結体。
【手続補正３】
【補正対象書類名】図面
【補正対象項目名】全図
【補正方法】変更
【補正の内容】
【図１ａ】
2010540001.tif 000017
【図１ｂ】
2010540001.tif 000018
【図１ｃ】
2010540001.tif 000019
【図１ｄ】
2010540001.tif 000020
【図２ａ】
2010540001.tif 000021
【図２ｂ】
2010540001.tif 000022
【図２ｃ】
2010540001.tif 000023
【図２ｄ】
2010540001.tif 000024
【図３ａ】
2010540001.tif 000025
【図３ｂ】
2010540001.tif 000026
【図３ｃ】
2010540001.tif 000027
【図３ｄ】
2010540001.tif 000028
【図３ｅ】
2010540001.tif 000029
【図４ａ】
2010540001.tif 000030
【図４ｂ】
2010540001.tif 000031
【図４ｃ】
2010540001.tif 000032
【図５ａ】
2010540001.tif 000033
【図５ｂ】
2010540001.tif 000034
【図６】
2010540001.tif 000035
【図７】
2010540001.tif 000036
【図８】
2010540001.tif 000037
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
半球状又は円筒状本体の両端面に水平面が形成され、前記本体の中央には前記水平面に対して垂直に通孔が形成され、前記各水平面のうちいずれか一つの水平面の本体外周に少なくとも一つの結合リブが一体型で構成されたチューブ連結体において、
前記結合リブの厚さの半分に該当する部分は、前記結合リブが形成された水平面の外部に突出形成され、
前記結合リブは、バー形態に形成されてチューブに内挿され、
前記二つのチューブ連結体を前記結合リブが形成された水平面が互いに当接するように交差して結合するとき、各連結体に形成された前記少なくとも一つの結合リブは、交差した二つのチューブ連結体の水平面中心軸上に位置し、前記互いに当接した水平面を基準にして前記チューブ連結体が左右に回転することを特徴とする組立玩具用チューブ連結体。
【請求項２】
前記結合リブは、結合されるチューブに内挿された後、弾性力によって固定されるように、前記結合リブの端部が二つの部分に分けられて離隔形成されたことを特徴とする、請求項１に記載の組立玩具用チューブ連結体。
【請求項３】
前記結合リブが前記水平面と同一に水平方向に形成されたことを特徴とする、請求項１又は２に記載の組立玩具用チューブ連結体。
【請求項４】
前記結合リブが前記水平面に対して一定の角度だけ傾斜した方向に形成されたことを特徴とする、請求項１又は２に記載の組立玩具用チューブ連結体。
【請求項５】
前記通孔は、円状に形成され、前記通孔にチューブが挿入されることによって前記各チューブ連結体が互いに結合されることを特徴とする、請求項１に記載の組立玩具用チューブ連結体。
【国際調査報告】
2010540001.tif 000038
2010540001.tif 000039
2010540001.tif 000040